(57)【要約】      （修正有）【課題】様々な大きさ、形状の被装着者の頭部に合わせて調整可能なかつらベース、及びこのかつらベースを用いた、１つのサイズで様々な被装着者の頭部に対応可能な自然な外観が得られるかつらを提供する。【解決手段】中央面部１０と中央面部から外側に延びた３つまたは４つの外延面部２０Ａ〜２０Ｄとを備えたかつらベース２であって、外延面部の外形はかつらベースの外縁となる外縁線２２Ａ〜２２Ｄと、外縁線の両側に繋がった凹曲線２４ＡＢ〜２４ＤＡとで画定され、凹曲線により隣接する外延面部が繋がれており、装着時において、中央面部が被装着者の頭頂部に位置し、外延面部が被装着者の前頭部、後頭部及び側頭部の何れかに位置し、外縁線が半径Ｒ１の略円形上に位置するように配置され、凹曲線が半径Ｒ２の略円弧で構成され、Ｒ２／Ｒ１の値が０．４以上０．７以下の範囲にあるかつらベース並びに、かつらベースに擬毛が植設されたかつら。【選択図】図１０
2020070534.tif 000002
【特許請求の範囲】
【請求項１】
中央面部と、
前記中央面部から外側に延びた３つまたは４つの外延面部と、
を備えたかつらベースであって、
前記外延面部の外形は、かつらベースの外縁となる外縁線と、前記外縁線の両側に繋がった凹曲線とで画定され、前記凹曲線により隣接する前記外延面部が繋がれており、
装着時において、前記中央面部が被装着者の頭頂部に位置し、前記外延面部が被装着者の前頭部、後頭部及び側頭部の何れかに位置し、
前記外縁線が半径Ｒ１の略円形上に位置するように配置され、
前記凹曲線が半径Ｒ２の略円弧で構成され、
Ｒ２／Ｒ１の値が０．４以上０．７以下の範囲にあることを特徴とするかつらベース。
【請求項２】
前記中央面部及び４つの前記外延面部により十字形の平面形状を有することを特徴とする請求項１に記載のかつらベース。
【請求項３】
前記中央面部及び前記外延面部がネット素材から形成されていることを特徴とする請求項１または２に記載のかつらベース。
【請求項４】
前記凹曲線に沿って、変形可能でありかつ形態維持機能を有する変形部材が取り付けられていることを特徴とする請求項１から３の何れか１項に記載のかつらベース。
【請求項５】
前記凹曲線に沿って、帯状の布部材が重ねられて形成された縁取り部が縫着され、前記変形部材が重ねられた前記布部材の間に配置されていることを特徴とする請求項４に記載のかつらベース。
【請求項６】
前記凹曲線から離間した前記外延面部の内側領域に、更なる前記変形部材が取り付けられていることを特徴とする請求項４または５に記載のかつらベース。
【請求項７】
前記外延面部の前記外縁線の近傍にかつらベースを自毛に取り付けるための留め具が取り付けられることを特徴とする請求項１から６の何れか１項に記載のかつらベース。
【請求項８】
請求項１から７の何れか１項に記載のかつらベースに擬毛が植設されたことを特徴とするかつら。
【発明の詳細な説明】
【技術分野】
【０００１】
本開示は、かつらベース及びこのかつらベースに擬毛を植設したかつらに関する。
【背景技術】
【０００２】
頭部全体を覆うかつらでは、被装着者によって頭部の大きさや形状が異なるため、個々の被装着者に合わせて製造するオーダーメイド製品が主流であった。しかし、オーダーメイド製品は、製造コストが高く、製造期間も長く要する問題があるため、様々な被装着者に汎用的に使用可能なレディメイドの製品も出回るようになってきた。
このようなレディメイドのかつらの中には、１つのサイズの製品で様々な大きさ、形状の被装着者の頭部に合わせるため、後頭部を覆う領域を伸縮性のあるネット布で形成したものが提案されている（例えば、特許文献１参照）。
【先行技術文献】
【特許文献】
【０００３】
【特許文献１】特開２０１４−２９０５５
【発明の概要】
【発明が解決しようとする課題】
【０００４】
特許文献１に記載のかつらでは、後頭部を除き、伸縮性を有さない部材でキャップ状に形成されているので、被装着者の頭部の大きさや形状によっては、後頭部を除く領域で頭部から浮いたり、しわや歪みが生じる可能性がある。一方、これを避けるため、伸縮性を有する領域を更に広げた場合には、収縮する度合いが強くなりすぎで、かつらが上方へずり上がる問題が生じる。
【０００５】
本開示は、上記の課題を解決するものであり、様々な大きさ、形状の被装着者の頭部に合わせて調整可能なかつらベース、及びこのかつらベースを用いた１つのサイズで様々な被装着者に対応可能なかつらを提供することを目的とする。
【課題を解決するための手段】
【０００６】
上記の課題を解決するため、本開示の１つの実施態様に係るかつらベースは、
中央面部と、
前記中央面部から外側に延びた３つ以上の外延面部と、
を備えたかつらベースであって、
前記外延面部の外形は、かつらベースの外縁となる外縁線と、前記外縁線の両側に繋がった凹曲線とで画定され、前記凹曲線により隣接する前記外延面部が繋がれており、
装着時において、前記中央面部が被装着者の頭頂部に位置し、前記外延面部が被装着者の前頭部、後頭部及び側頭部の何れかに位置する。
【０００７】
本開示の１つの実施態様に係るかつらは、
上記のかつらベースに擬毛が植設されて形成されている。
【発明の効果】
【０００８】
本開示では、様々な大きさ、形状の被装着者の頭部に合わせて調整可能なかつらベース、及びこのかつらベースを用いた１つのサイズで様々な被装着者に対応可能なかつらを提供することができる。
【図面の簡単な説明】
【０００９】
【図１】本開示の第１の実施形態に係るかつらベースを模式的に示す平面図である。
【図２】本開示に係るかつらベースの形状のバリエーションの一例を模式的に示す平面図である。
【図３】本開示に係るかつらベースの形状のバリエーションの一例を模式的に示す平面図である。
【図４Ａ】従来のかつらベースをそのサイズより小さい頭部に装着した場合を示す図（写真）である。
【図４Ｂ】本開示の第１の実施形態に係るかつらベースを比較的大きめの頭部に装着した場合を示す図（写真）である。
【図４Ｃ】本開示の第１の実施形態に係るかつらベースを比較的小さめの頭部に装着した場合を示す図（写真）である。
【図５】本開示の第２の実施形態に係るかつらベースを模式的に示す平面図である。
【図６】本開示の第２の実施形態に係るかつらベースの変形例を模式的に示す平面図である。
【図７Ａ】本開示の第２の実施形態に係るかつらベースの更なる変形部材を上方に曲げて、かつらベースの所望の箇所を持ち上げるところを模式的に示す図である。
【図７Ｂ】本開示の第２の実施形態に係るかつらベースに擬毛を植設して形成したかつらにおいて、更なる変形部材を上方に曲げて、かつらベースの所望の箇所を持ち上げたところを示すかつらの図（写真）である。
【図７Ｃ】図７Ｂに示すかつらを裏面側から見た図（写真）である。
【図８】本開示の第１の実施形態に係るかつらベースに擬毛を植設して形成したかつらの実施例を示す図（写真）である。
【図９】本開示の第２の実施形態に係るかつらベースに擬毛を植設して形成したかつらの実施例を示す図（写真）である。
【図１０】図１に示すかつらベースの外縁線及び凹曲線の関係を示す平面図である。
【発明の詳細な説明】
【００１０】
以下、図面を参照しながら、本開示を実施するための実施形態や実施例を説明する。なお、以下に説明するかつらベースやかつらは、本開示の技術思想を具体化するためのものであって、特定的な記載がない限り、本開示を以下のものに限定しない。
各図面中、同一の機能を有する部材には、同一符号を付している場合がある。要点の説明または理解の容易性を考慮して、便宜上実施形態や実施例に分けて示す場合があるが、異なる実施形態や実施例で示した構成の部分的な置換または組み合わせは可能である。後述の実施形態や実施例では、前述と共通の事柄についての記述を省略し、異なる点についてのみ説明する。特に、同様の構成による同様の作用効果については、実施形態や実施例ごとには逐次言及しないものとする。各図面が示す部材の大きさや位置関係等は、説明を明確にするため、誇張して示している場合もある。
【００１１】
（第１の実施形態に係るかつらベース）
はじめに、図１を参照しながら、本開示の第１の実施形態に係るかつらベースの説明を行う。図１は、本開示の第１の実施形態に係るかつらベースを模式的に示す平面図である。図１は、かつらベースを、装着時に頭皮と接触する裏面側から見た平面図である。
【００１２】
本実施形態に係るかつらベース２は、１つのサイズで様々な大きさ、頭部の形状に合わせて調整可能なかつらを実現可能なかつらベースである、本実施形態に係るかつらベース２は、中央面部１０と、中央面部１０から外側に延びた４つの外延面部２０Ａ、２０Ｂ、２０Ｃ、２０Ｄを備える。ただし、中央面部１０から外側に延びた外延面部２０の数は４つに限られるものではなく、３つ以上であれば、その他の任意の数の外延面部２０を備えることができる。例えば、図２には、３つの外延面部２０Ａ〜２０Ｃを備える例を示し、図３には、５つの外延面部２０Ａ〜２０Ｅを備える例を示す。図１から図３には、中央面部１０の外形を示す円を一点鎖線で示しているが、あくまで説明をわかりやすくするための想像線であり、中央面部１０の外形が、厳密に一点鎖線で示す円形に一致する訳ではない。
【００１３】
本実施形態においては、中央面部１０及び外延面部２０Ａ〜２０Ｄがネット素材から形成されている。ネット素材は、例えば、合成樹脂材料や天然材料から形成することができる。ネットのメッシュの開口に擬毛を通して、メッシュの枠部材（フィラメント）に結びつけて植設することができる。また、ネット素材により、通気性を持たせることができるので、かつらを装着したときに蒸れることを防ぐことができる。
更に、本実施形態に係るかつらベース２は、メッシュ素材により、適度な伸縮性を有するので、後述するように、様々な大きさ、形状の被装着者の頭部に合わせるのに有効に働く。
【００１４】
本実施形態では、中央面部１０及び外延面部２０Ａ〜２０Ｄが同一のネット素材で一体的に形成されている。ただし、これに限られるものではなく、縫着等により、中央面部１０に別部材である外延面部２０を繋げて形成することもできる。更に、２枚のネット素材を重ね合わせて、かつらベース２を形成することもできる。その場合には、十分な強度を有するとともに、擬毛の結び目を２枚のネット素材の間に配置することによって、擬毛が抜けたり損傷したりすることを防ぎ、被装着者が装着したときに、結び目が頭部に当たる不具合を防ぐことができる。
【００１５】
本実施形態に係るかつらベース２では、個々の外延面部２０の外形が、かつらベース２の外縁となる外縁線２２と、外縁線２２の両側に繋がった凹曲線２４とで画定され、凹曲線２４により隣接する外延面部２０が繋がれている。
【００１６】
更に詳細に述べれば、外延面部２０Ａの外形は、外縁線２２Ａと、外縁線２２Ａの両側に繋がった凹曲線２４ＡＢ及び２４ＤＡとで画定され、凹曲線２４ＡＢにより隣接する外延面部２０Ｂと繋がれ、凹曲線２４ＤＡにより隣接する外延面部２０Ｄと繋がれている。同様に、外延面部２０Ｂの外形は、外縁線２２Ｂと、外縁線２２Ｂの両側に繋がった凹曲線２４ＢＣ及び２４ＡＢとで画定され、凹曲線２４ＢＣにより隣接する外延面部２０Ｃと繋がれ、凹曲線２４ＡＢにより隣接する外延面部２０Ａと繋がれている。同様に、外延面部２０Ｃの外形は、外縁線２２Ｃと、外縁線２２Ｃの両側に繋がった凹曲線２４ＣＤ及び２４ＢＣとで画定され、凹曲線２４ＣＤにより隣接する外延面部２０Ｄと繋がれ、凹曲線２４ＢＣにより隣接する外延面部２０Ｂと繋がれている。同様に、外延面部２０Ｄの外形は、外縁線２２Ｄと、外縁線２２Ｄの両側に繋がった凹曲線２４ＤＡ及び２４ＣＤとで画定され、凹曲線２４ＤＡにより隣接する外延面部２０Ａと繋がれ、凹曲線２４ＣＤにより隣接する外延面部２０Ｃと繋がれている。
【００１７】
このような凹曲線２４ＡＢ、２４ＢＣ、２４ＣＤ、２４ＤＡにより、かつらベース２は、窪み２６ＡＢ、２６ＢＣ、２６ＣＤ、２６ＤＡを有している。
このような窪み２６ＡＢ〜２６ＤＡの存在により、本実施形態に係るかつらベース２は、中央面部１０及び４つの外延面部２０Ａ〜２０Ｄにより十字形の平面形状を有している。このかつらベースに擬毛を植設したかつらの装着時においては、中央面部１０が被装着者の頭頂部に位置し、外延面部２０Ａ〜２０Ｄが、それぞれ被装着者の前頭部、後頭部及び左右の側頭部に位置するようにすることができる。これにより、毛量の不足が露見し易い領域を確実にかつらで覆うことができる。
【００１８】
ただし、これに限られるものではなく、装着時において、中央面部１０を被装着者の頭頂部に位置させた状態において、被装着者の自毛の存続状況に応じて、外延面部２０を被装着者の前頭部、後頭部及び側頭部の何れかに位置させればよい。
【００１９】
以上のように、本実施形態に係るかつらベース２では、外延面部２０の外形が、かつらベース２の外縁となる外縁線２２と、外縁線２２の両側に繋がった凹曲線２４とで画定され、凹曲線２４により隣接する外延面部２０が繋がれている。これにより、かつらベース２は、凹曲線２４に沿って窪み２６を有している。次に、凹曲線２４に沿って窪み２６を有するかつらベース２について、図４Ａから図４Ｃを参照しながら更に詳しく説明する。
【００２０】
図４Ａは、従来のかつらベースをそのサイズより小さい頭部に装着した場合を示す図（写真）である。図４Ｂは、本開示の第１の実施形態に係るかつらベースを比較的大きめの頭部に装着した場合を示す図（写真）である。図４Ｃは、本開示の第１の実施形態に係るかつらベースを比較的小さめの頭部に装着した場合を示す図（写真）である。なお、各図とも、留め具が取り付けられたかつらベースの裏面側を上にして、頭部に載置した状態を示している。
図４Ａに示すように、窪み２６で隔てられた外延面部２０を有さない従来のかつらベースを、そのサイズより小さい頭部に装着した場合、余った面部が頭部から浮いて、不自然な外観を呈することになる。
【００２１】
従来のかつらベースのように、窪みを有さない、外側に凸の曲線で囲まれた形状を有する場合を考えると、かつらベースを比較的大きめの頭部に装着したときには、かつらベースが頭部から浮いて、浮いた部分にしわや歪みが生じる可能性があり、かつらベースを比較的小さめの頭部に装着したときには、面部が余ってしわや歪みが生じる可能性がある。
【００２２】
一方、窪み２６で隔たれた外延面部２０を有する本実施形態に係るかつらベース２では、かつらベース２を比較的大きめの頭部に装着した場合には、外延面部２０は横方向に延びるように位置し（図４Ｂ参照）、比較的小さめの頭部に装着した場合には、外延面部２０は、図４Ｂに示す場合に比べて、縦方向に延びるように位置する（図４Ｃ参照）。これにより、比較的大きめの頭部に装着した場合には、面部が存在しない窪み２６のエリアが広がり、比較的小さめの頭部に装着した場合には、面部が存在しない窪み２６のエリアが狭まる。
【００２３】
つまり、被装着者の頭の大きさや形状の変化を、窪み２６のエリアで適宜吸収することができる。よって、中央領域１０や外延面部２０で頭部から浮いたり、しわや歪みが生じることを、効果的に抑制できる。更に、外延面部２０の外形が凹曲線により画定されているので、角部による折れ曲がり等が生じることがなく、外延面部２０を、様々な大きさや形状の頭部にスムーズに沿わせることができる。
中央面部１０に繋がった外延面部２０において、頭の大きさや形状が変化した場合、薄い面部の厚み方向における湾曲度合いが変化するだけなので、余分な応力を掛けることなく、中央面部１０及び外延面部２０を容易に頭部に沿わせることができる。つまり、被装着者の様々な大きさ、形状の頭部に合わせて、かつらベース２を適切に調整することができる。よって、１つのサイズで様々な被装着者に対応可能なかつらを実現できる。
【００２４】
更に、中央面部１０及び外延面部２０がネット素材から形成されている場合には、布部材に比べて弾性を有する。よって、頭の大きさや形状に合わせて、中央面部１０及び外延面部２０が伸縮するので、より確実に、かつらベース２を頭部に沿わせて装着することができる。
【００２５】
上記のような中央面部１０及び４つの外延面部２０Ａ〜２０Ｄにより十字形の平面形状を有するかつらベース２において、外延面部２０Ａ〜２０Ｄの外形を画定する外縁線２２Ａ〜２２Ｄ及び凹曲線２４ＡＢ及〜２４ＤＡについて、様々な寸法、形状のかつらベース２を試作し、外延面部２０Ａ〜２０Ｄの最適な外形形状を検討した。
その検討結果を、図１０を参照しながら説明する。図１０は、図１に示すかつらベースの外縁線及び凹曲線の関係を示す平面図である。
【００２６】
図１０のＸで示す二点鎖線の円に示すように、４つの外縁線２２Ａ〜２２Ｄは、半径Ｒ１の略円形上に位置するように配置されている。なお、外縁線２２Ａ〜２２Ｄが配置される略円形は、真円だけに限られず、やや細長の楕円形の場合もあり得る。その場合には、楕円の長径及び短径の平均値を半径Ｒ２とみなすことができる。
なお、「半径Ｒ１の略円形上に位置する」を更に厳密に述べれば、「半径Ｒ１の円形または長径及び短径の平均値がＲ２の楕円形の上に位置する」ということもできる。
【００２７】
また、図１０のＹで示す二点鎖線の円に示すように、滑らかな曲線で構成される凹曲線２４ＡＢ、ＢＣ、ＣＤ、ＤＡは、それぞれ半径Ｒ２の略円弧で構成されている。なお、凹曲線２４ＡＢ〜ＤＡを構成する略円弧の半径Ｒ２は、常に一定とは限られず、ある程度の範囲（例えば、±２０％の範囲）で、半径の大きさが連続的に変化する場合もあり得る。その場合には、各凹曲線２４ＡＢ〜ＤＡにおいて、連続的に変化する半径の平均値を半径Ｒ２とみなすことができる。
なお、「凹曲線が半径Ｒ２の略円弧」を更に厳密に述べれば、「半径Ｒ２の円弧または連続的に変化する半径の平均値がＲ２の略円弧」ということもできる。
【００２８】
かつらベース２の外縁形状に対応する半径Ｒ１に対して、様々な半径Ｒ２の略円弧から構成される凹曲線２４ＡＢ〜ＤＡを有するかつらベース２を試作して、それらを様々な大きさ、形状の被装着者の頭部に装着して検証を行った。
その結果、Ｒ２／Ｒ１の値が、０．４以上０．７以下の範囲にあるのが好ましく、０．５以上０．６以下の範囲にあるのがより好ましいことを知見した。
【００２９】
Ｒ２／Ｒ１の値が０．４より小さい場合には、外延面部２０Ａ〜２０Ｄの幅に比べて、窪み２６ＡＢ〜ＤＡの幅が相対的に小さくなる。その場合、窪み２６ＡＢ〜ＤＡの幅が狭すぎて、頭部の大きさや形状の変化を十分に吸収できず、しわや歪みが生じる傾向を示した。更に、外延面部２０Ａ〜２０Ｄ及び窪み２６ＡＢ〜ＤＡの大きさのバランスが崩れて、擬毛と自毛がなじんだ自然な外観が得られない傾向を示した。
【００３０】
一方、Ｒ２／Ｒ１の値が０．７より大きい場合には、窪み２６ＡＢ〜ＤＡの中央面部１０側への凹み具合が小さくなる。その場合、窪み２６のエリアを狭めたり広げたりして、頭部の大きさや形状の変化を吸収する機能が、十分に働かなくなる傾向を示した。更に、自毛を外へ出す窪み２６ＡＢ〜ＤＡのエリアが、かつらベース２の外縁側に偏るので、擬毛と自毛がなじんだ自然な外観を得られない傾向を示した。
【００３１】
以上のように、Ｒ２／Ｒ１の値が０．４以上０．７以下の範囲にあることにより、はじめて、被装者の頭部の大きさや形状の変化を、窪み２６ＡＢ〜ＤＡのエリアで効果的に吸収することができ、中央領域１０や外延面部２０Ａ〜２０Ｄでかつらベース２が頭部から浮いたり、しわや歪みが生じることを、効果的に抑制できるとともに、擬毛と自毛がなじんだ自然な外観を得ることができた。
また、装着者の頭部の大きさや形状の変化に対する対応と、擬毛と自毛がなじんだ自然な外観を得ることのバランスを考慮すると、Ｒ２／Ｒ１の値が０．５以上０．６以下の範囲にあることがより好ましいことを知見した。
【００３２】
例えば、窪みが直線で構成された凹形状や、中央領域側の底部で直線が半円で繋がれたＵ字形の凹形状を有する場合には、被装着者の頭部の大きさや形状の変化に十分対応することができず、擬毛と自毛がなじんだ自然な外観を得ることもできない。
上記のように、凹曲線２４ＡＢ〜ＤＡにより隣接する外延面部２０Ａ〜Ｄが繋がれており、外延面部２０Ａ〜Ｄが配置される仮想の略円形の半径をＲ１、凹曲線２４ＡＢ〜ＤＡを構成する略円弧の半径をＲ２とすると、Ｒ２／Ｒ１の値が、０．４以上０．７以下の範囲にあることにより、はじめて、被装着者の頭部の大きさや形状の変化を効果的に吸収することができるとともに、自毛がなじんだ自然な外観を得ることができる。
【００３３】
凹曲線２４ＡＢ〜ＤＡを構成する略円弧の半径Ｒ２は、同一であることが好ましいが、個々の凹曲線２４ＡＢ〜ＤＡによって、半径Ｒ２の値が多少（例えば、２０〜３０％）異なる場合にあり得る。その場合であっても、全ての凹曲線２４ＡＢ〜ＤＡにおいて、Ｒ２／Ｒ１の値が０．４以上０．７以下の範囲にあれば、上記と同様な作用効果を奏することができる。
【００３４】
上記では、中央面部１０及び４つの外延面部２０Ａ〜２０Ｄを有する十字形の平面形状を有するかつらベース２について説明したが、それに限られるものではない。図２に示すような３つの外延面部２０Ａ〜２０Ｃを備えるかつらベース２においても適用できる。この場合でも、３つの凹曲線において、Ｒ２／Ｒ１の値が０．４以上０．７以下の範囲にあれば、上記と同様な作用効果を奏することができる。
【００３５】
＜変形部材＞
本実施形態に係るかつらベース２は、更に、凹曲線２４ＡＢ、２４ＢＣ、２４ＣＤ、２４ＤＡに沿って、変形可能でありかつ形態維持機能を有する変形部材４０ＡＢ、４０ＢＣ、４０ＣＤ、４０ＤＡが取り付けられている。本実施形態に係る変形部材４０は、変形可能でありかつ形態維持機能を有する線状または帯状の樹脂部材から構成されている。変形部材４０を形成する樹脂材料として、ポリエチレンを延伸処理して得られる塑性変形性の線状または帯状の材料や、エチレン単独重合体またはエチレン・α − オレフィン共重合体からなる線状又は帯状の材料を例示することができる。ただし、変形部材４０の樹脂材料としてこれに限られるものではなく、変形可能でありかつ形態維持機能を有する既知の任意の樹脂材料を用いることができる。樹脂製の変形部材４０は、軽量であり、コストも安く、仮に頭皮に触れたとしても違和感が少ないという利点を有する。
【００３６】
本実施形態に係るかつらベース２は、図１に示すように、凹曲線２４ＡＢ、２４ＢＣ、２４ＣＤ、２４ＤＡに沿って、縁取り部３０ＡＢ、３０ＢＣ、３０ＣＤ、３０ＤＡが備えられている。縁取り部３０の剛性により、かつらベース２の剛性を高めて、装着時にかつらがめくれ上がることを防ぐことができる。本実施形態に係る縁取り部３０は、帯状の布部材が重ねられて、幅方向の両端部が縫着されて形成されている。変形部材４０は、重ねられた布部材の間に配置されている。
更に、本実施形態のかつらベース２は、各外延面部２０Ａ〜２０Ｄの外縁線２２Ａ〜２２Ｄの近傍のメッシュ素材に、略矩形の布部材またはメッシュ状部材からなる先端固定部３２Ａ〜３２Ｄが縫着されている。先端固定部３２Ａ〜３２Ｄには、かつらベース２を被装着者の自毛に取り付けるための留め具６０（一点鎖線参照）を取り付けることができる。なお、図１では、１つの外延面部２０にだけ留め具６０が示されているが、全ての外延面部２０の先端部に留め具６０を取り付けることができる。
【００３７】
本実施形態では、内部に変形部材４０が収められた縁取り部３０ＡＢ〜３０ＤＡの上側にも先端固定部３２Ａ〜３２Ｄが配置され、縫着されている。これにより、変形部材４０は、その両端（外縁線２２側）でかつらベース２の面部に固定されている。固定された両端の間では、変形部材４０は、縁取り部３０の左右の縫着部分及び上下の布部材で囲まれ、多少の遊びもって拘束されている。
【００３８】
縁取り部３０の中に変形部材４０が配置されている場合には、変形部材４０が被装着者の頭皮に直接触れることがないので、変形部材４０をアルミ、真鍮のような弾性に富んだ金属材料から形成することもできる。
また、かつらベース２が先端固定部３２を備えない場合もあり、その場合には、縁取り部３０の上下の布部材と変形部材４０とを、一定間隔で縫着することが考えられる。更に、かつらベース２が縁取り部３０を有さない場合もあり、その場合には、変形部材４０をかつらベース２のメッシュ素材に直接縫着することもできる。この場合には、凹曲線に沿って取り付けられた変形部材４０が、縁取り部の機能を果たすことになる。上記においては、主に縫着による固定方法を説明しているが、あくまで一例であり、接着を含めたその他の任意の固定方法を採用することができる。
【００３９】
以上のように、本実施形態に係るかつらベース２は、凹曲線２４に沿って、変形可能でありかつ形態維持機能を有する変形部材４０が取り付けられているので、外延面部２０（窪み２６）により被装着者の頭部に沿って配置されたかつらベース２の形状を、確実に保持することができる。特に、かつらベース２の外周部を固定できるので、頭部に装着されたかつらベース２を、ずれることなく確実に保持することができる。また、変形部材４０は、容易に曲げ伸ばしができるので、かつらベース２の微調整や取り外しも容易に行うことができる。
【００４０】
更に、本実施形態では、凹曲線２４に沿って、帯状の布部材が重ねられて形成された縁取り部３０が縫着され、変形部材４０が重ねられた布部材の間に配置されている。これにより、変形部材４０が被装着者の頭皮に接触することなく、確実にかつらベース２の外周部を固定することができる。
【００４１】
また、図１に示すように、外延面部２０の外縁線２２の近傍にかつらベース２を自毛に取り付けるための留め具６０が取り付けられている場合には、被装着者の頭部に沿った形状が保持されたかつらベース２において、その外縁側で被装着者の自毛に取り付けることができるので、自然な外観を有するかつらを長時間確実に保持することができる。
【００４２】
（第２の実施形態に係るかつらベース）
次に、図５を参照しながら、本開示の第２の実施形態に係るかつらベースの説明を行う。図５は、本開示の第２の実施形態に係るかつらベースを模式的に示す平面図である。図５も、かつらベースを、装着時に頭皮と接触する裏面側から見た平面図である。
本実施形態に係るかつらベース２’では、上記の第１の実施形態に係るかつらベース２の構成に加えて、凹曲線２４から離間した外延面部２０の内側領域に、更なる変形部材５０が取り付けられている。
【００４３】
更に詳細に述べれば、凹曲線２４ＡＢ、２４ＤＡから離間した外延面部２０Ａの内側領域に、更なる変形部材５０Ａが取り付けられ、凹曲線２４ＢＣ、２４ＡＢから離間した外延面部２０Ｂの内側領域に、更なる変形部材５０Ｂが取り付けられ、凹曲線２４ＣＤ、２４ＢＣから離間した外延面部２０Ｃの内側領域に、更なる変形部材５０Ｃが取り付けられ、凹曲線２４ＤＡ、２４ＣＤから離間した外延面部２０Ｄの内側領域に、更なる変形部材５０Ｄが取り付けられている。
【００４４】
なお、図５では、全ての外延面部２０Ａ〜Ｄに、変形部材５０Ａ〜５０Ｄが備えられているが、これに限られるものではない。一部の外延面部２０にだけ変形部材５０を取り付けることもできる。例えば、図６に示す本開示の第２の実施形態に係るかつらベースの変形例のように、４つの外延面部２０Ａ〜２０Ｄのうち、外延面部２０Ｃの内側領域にだけ、更なる変形部材５０Ｃが取り付けられている場合もあり得る。
【００４５】
次に、図７Ａから図７Ｃを参照しながら、更なる変形部材を上方に曲げて、かつらベースの所望の箇所を持ち上げる具体的な態様を説明する。図７Ａは、本開示の第２の実施形態に係るかつらベースの更なる変形部材を上方に曲げて、かつらベースの所望の箇所を持ち上げるところを模式的に示す図である。図７Ｂは、本開示の第２の実施形態に係るかつらベースに擬毛を植設して形成したかつらにおいて、更なる変形部材を上方に曲げて、かつらベースの所望の箇所を持ち上げたところを示すかつらの図（写真）である。図７Ｃは、図７Ｂに示すかつらを裏面側から見た図（写真）である。
【００４６】
図７Ａから図７Ｃでは、装着時に被装着者の後頭部側に位置する更なる変形部材５０Ｃを上方に曲げる場合を示す。図７Ａ〜図７Ｃの左図が、更なる変形部材５０Ｃを上方に曲げる前の状態を示し、右図が更なる変形部材５０Ｃを上方に曲げた後の状態を示す。更なる変形部材５０Ｃを上方に曲げることにより、かつらベース２’の後頭部に対応する外延面部２０Ｃが持ち上げられて、図７Ｂ右図に示すように、自然な外観を有するとともに、ボリューム感のあるかつら１００’を実現できる。
なお、ここでは、外延面部２０Ｃの内側領域に取り付けられた更なる変形部材５０Ｃを用いた場合を示すが、これに限られるものではなく、その他の外延面部２０の内側領域に取り付けられた更なる変形部材５０を用いることもできる。
【００４７】
以上のように、本開示の第２の実施形態に係るかつらベース２’では、外延面部２０（窪み２６）や変形部材４０により、かつらベース２’の外周部を被装着者の頭部に沿って配置、固定した状態において、更なる変形部材５０を上方に曲げることにより、かつらベース２’の所望の箇所を持ち上げることができる。これにより、自然な外観を有するとともに、ボリューム感のあるかつら１００’を実現できる。
その他の構成については、上記の第1の実施形態と基本的に同様なので、更なる詳細な説明は省略する。
【００４８】
（かつら）
次に、図８及び図９を参照しながら、本開示に係るかつらの一例を説明する。図８は、本開示の第１の実施形態に係るかつらベースに擬毛を植設して形成したかつらの実施例を示す図（写真）である。図９は、本開示の第２の実施形態に係るかつらベースに擬毛を植設して形成したかつらの実施例を示す図（写真）である。
何れのかつら１００、１００’においても、被装着者の様々な大きさ、形状の頭部に合わせて、かつらベース２、２’を適切に調整することができるので、１つのサイズで様々な被装着者に対応可能な、自然な外観を有するかつら１００、１００’を実現できる。
【００４９】
以上のように、本開示の実施の形態を説明したが、本開示内容は構成の細部において変化してもよく、実施の形態における要素の組合せや順序の変化等は請求された本開示の範囲および思想を逸脱することなく実現し得るものである。
【符号の説明】
【００５０】
２、２’              かつらベース
１０                  中央面部
２０、２０Ａ〜Ｅ      外延面部
２２、２２Ａ〜Ｄ      外縁線
２４、２４ＡＢ〜ＤＡ  凹曲線
２６、２６ＡＢ〜ＤＡ  窪み
３０、３０ＡＢ〜ＤＡ  縁取り部
３２，３２Ａ〜Ｄ      先端固定部
４０、４０ＡＢ〜ＤＡ  変形部材
５０、５０Ａ〜Ｄ      変形部材
６０                  留め具
７０                  擬毛
１００、１００’      かつら
【図１】
2020070534.tif 000003
【図２】
2020070534.tif 000004
【図３】
2020070534.tif 000005
【図４Ａ】
2020070534.tif 000006
【図４Ｂ】
2020070534.tif 000007
【図４Ｃ】
2020070534.tif 000008
【図５】
2020070534.tif 000009
【図６】
2020070534.tif 000010
【図７Ａ】
2020070534.tif 000011
【図７Ｂ】
2020070534.tif 000012
【図７Ｃ】
2020070534.tif 000013
【図８】
2020070534.tif 000014
【図９】
2020070534.tif 000015
【図１０】
2020070534.tif 000016